(57)【要約】【課題】昇降装置において、装置構成が大型化することを抑制しつつ、ダンパー効果を高める構成とすることができるものとする。【解決手段】取付対象物（洋式便器１００）の固定部に対して可動部が昇降移動するときにダンパー効果を生じさせる昇降装置１であって、取付対象物の固定部（便器本体１０１）に固定される固定部材２と、取付対象物の可動部（装着体１０２）に固定され、固定部材２に対して昇降移動可能に構成される可動部材３と、を備え、可動部材３は、被挟持部材７０を備え、固定部材２は、可動部材３が上下方向に移動しているときに被挟持部材７０を挟持した状態とされる挟持部材７０を備えるものとする。【選択図】図２
2020000680.tif 000002
【特許請求の範囲】
【請求項１】
固定部に対して可動部が昇降移動可能に構成される取付対象物に設けられて、前記取付対象物の固定部に対して可動部が昇降移動するときにダンパー効果を生じさせる昇降装置であって、
前記取付対象物の固定部に固定される固定部材と、
前記取付対象物の可動部に固定され、前記固定部材に対して昇降移動可能に構成される可動部材と、を備え、
前記可動部材は、被挟持部材を備え、
前記固定部材は、前記可動部材が昇降移動しているときに前記被挟持部材を挟持した状態とされる挟持部材を備える、昇降装置。
【請求項２】
前記挟持部材は、前記可動部材の昇降方向に沿って配置され、前記可動部材が昇降移動しているときに前記被挟持部材を挟持した状態で弾性変形可能な一対の挟持体を備える、
請求項１に記載の昇降装置。
【請求項３】
前記被挟持部材は、前記可動部材が昇降移動するときに前記挟持部材の一対の前記挟持体によって挟持されるローラを備える、
請求項２に記載の昇降装置。
【請求項４】
前記可動部材は、前記可動部材が下降側端部位置または上昇側端部位置に配置された状態を一時的に保持するストッパを備える、
請求項１から請求項３のいずれか一項に記載の昇降装置。
【発明の詳細な説明】
【技術分野】
【０００１】
本発明は、取付対象物の固定部に対して可動部が昇降移動するときにダンパー効果を生じさせる昇降装置の技術に関する。
【背景技術】
【０００２】
従来、固定部に対して可動部が昇降移動可能に構成される取付対象物に設けられて、取付対象物の固定部に対して可動部が昇降移動するときにダンパー効果（減衰効果）を生じさせる昇降装置に関する技術は公知となっている。
前記取付対象物には、例えば、洋式便器がある。このとき、固定部は、洋式便器の便器本体として構成され、可動部は、洋式便器の便座、弁蓋、およびタンク等の装着体で構成される。
【０００３】
このような取付対象物（洋式便器）に設けられる昇降装置としては、取付対象物の固定部（便器本体）に固定される固定部材と、取付対象物の可動部（装着体）に固定されて固定部材に対して昇降移動可能に構成される可動部材と、可動部材が昇降移動するときにダンパー効果を生じさせるエアーダンパーと、を備えるものがある。洋式便器の通常の使用状態では、洋式便器の装着体は下端位置に配置され、昇降装置の可動部材は下端位置に位置する。また、洋式便器の便器本体と装着体との間を清掃する際には、洋式便器の装着体が上方に引上げられ、昇降装置の可動部材は上端位置に位置する。
【先行技術文献】
【特許文献】
【０００４】
【特許文献１】特開２００７−２６８２１１号公報
【発明の概要】
【発明が解決しようとする課題】
【０００５】
しかしながら、前記昇降装置では、昇降移動するときのダンパー効果をより高めることが求められる場合がある。もっとも、昇降移動するときのダンパー効果を高めるためには、エアーダンパーのシリンダーの容量が大きくなり装置構成が大型化するという問題があった。
【０００６】
本発明は以上の如き状況に鑑みてなされたものであり、装置構成が大型化することを抑制しつつ、昇降移動するときのダンパー効果を高める構成とすることができる昇降装置を提供することを課題とする。
【課題を解決するための手段】
【０００７】
本発明の解決しようとする課題は以上の如くであり、次にこの課題を解決するための手段を説明する。
【０００８】
即ち、請求項１においては、固定部に対して可動部が昇降移動可能に構成される取付対象物に設けられて、前記取付対象物の固定部に対して可動部が昇降移動するときにダンパー効果を生じさせる昇降装置であって、前記取付対象物の固定部に固定される固定部材と、
前記取付対象物の可動部に固定され、前記固定部材に対して昇降移動可能に構成される可動部材と、を備え、前記可動部材は、被挟持部材を備え、前記固定部材は、前記可動部材が昇降移動しているときに前記被挟持部材を挟持した状態とされる挟持部材を備えるものである。
【０００９】
請求項２においては、前記挟持部材は、前記可動部材の昇降方向に沿って配置され、前記可動部材が昇降移動しているときに前記被挟持部材を挟持した状態で弾性変形可能な一対の挟持体を備えるものである。
【００１０】
請求項３においては、前記被挟持部材は、前記可動部材が昇降移動するときに前記挟持部材の一対の前記挟持体によって挟持されるローラを備えるものである。
【００１１】
請求項４においては、前記可動部材は、前記可動部材が下降側端部位置または上昇側端部位置に配置された状態を一時的に保持するストッパを備えるものである。
【発明の効果】
【００１２】
本発明の効果として、以下に示すような効果を奏する。
即ち、本発明によれば、エアーダンパーを備え構成のものに比べて装置構成が大型化することを抑制しつつ、昇降移動するときのダンパー効果を高める構成とすることができる。
【図面の簡単な説明】
【００１３】
【図１】本発明の実施形態係る昇降装置が取付けられる取付対象物を示す側面図。
【図２】同じく昇降装置を示す斜視図。
【図３】同じく昇降装置を示す側面図。
【図４】同じく昇降装置を示す背面図。
【図５】同じく昇降装置を示す断面図。
【図６】同じく昇降装置のスライダと被挟持部材を示す拡大分解斜視図。
【図７】同じく昇降装置の可動部材が下端位置の状態の内部構造を示す側面図。
【図８】同じく昇降装置の可動部材が上端位置の状態の内部構造を示す側面図。
【図９】同じく昇降装置の挟持部材の挟持体を示す側面図。
【図１０】同じく昇降装置の挟持部材の挟持体を示す側面図。
【発明を実施するための形態】
【００１４】
次に、本発明の実施形態に係る昇降装置１について、図１から図１０を用いて説明する。
【００１５】
昇降装置１は、取付対象物に設けられて、取付対象物の固定部に対して可動部が昇降移動するときにダンパー効果（減衰効果）を生じさせる。
図１乃至図５に示すように、昇降装置１は、固定部材２と、可動部材３と、付勢部材４と、を備える。可動部材３は、下端位置（下降側端部位置）と上端位置（上昇側端部位置）との間で上下方向に移動可能（昇降移動可能）に固定部材２に設けられる（図７まはた図８参照）。付勢部材４は、可動部材３を固定部材２に対して離間する方向（上方）に付勢する。付勢部材４は、コイルスプリングで構成される。
【００１６】
取付対象物は、固定部と可動部とを備え、固定部に対して可動部が昇降可能に構成される。以下において、取付対象物は、洋式便器１００であるものとして説明する。このとき、固定部は、洋式便器１００の便器本体１０１として構成される。可動部は、洋式便器１００の便座、弁蓋、およびタンク等の装着体１０２で構成される。洋式便器１００では、通常の使用状態では、装着体１０２は下端位置に配置され昇降装置１の可動部材３は下端位置に位置する。また、洋式便器１００では、便器本体１０１と装着体１０２との間を清掃する際には、装着体１０２が上方に引上げられ、昇降装置１の可動部材３は上端位置に位置する。
なお、可動部は、洋式便器１００の仕様に応じて、便座のみで装着体１０２を構成すること、便座および弁蓋で装着体１０２を構成すること、また、便座およびタンクで装着体１０２を構成することもできる。また、取付対象物は、洋式便器１００であることに限定されず、例えば、ＯＡ機器の本体（固定部）に対して蓋体（可動部）が昇降するもの等、固定部材２に対して可動部材３が昇降可能に構成されるものを広く含むものとする。
【００１７】
図１乃至図８に示すように、昇降装置１の固定部材２は、洋式便器１００の便器本体１０１（取付対象物の固定部）に固定される。固定部材２は、固定プレート１０と、天板２０と、ベース３０と、一対の挟持部材４０と、を備える。
【００１８】
固定プレート１０は、洋式便器１００の便器本体１０１にビス等で取付けられて固定される。固定プレート１０は、金属素材の板状の部材を折曲げ加工されて構成される。固定プレート１０は、側面視略Ｌ字状に構成される。固定プレート１０は、底部１１と本体部１２とを備える。
固定プレート１０の底部１１は、下部の側方に突出する部分で構成される。固定プレート１０の底部１１は、洋式便器１００の便器本体１０１に取付けられる部分として構成される。
固定プレート１０の本体部１２は、上部の上方に突出する部分で構成される。固定プレート１０の本体部１２は、内部に所定の空間が形成されるように略箱状に構成される。固定プレート１０の本体部１２では、背面部の両側が前方に折曲げられて一対の側面部が形成され、側面部の両側から中央方向に折曲げられて一対の正面部が形成される。固定プレート１０の本体部１２では、両正面部はそれぞれの端部が所定の間隔を空けて向合うように構成されて、本体部１２の前部の一部が上端から下端に開放する。
【００１９】
固定プレート１０の本体部１２は、背面部に係止凹部１３を備える。固定プレート１０の本体部１２の係止凹部１３は、背面部の内側（本体部１２の内部側）が凹状に形成されて構成される。固定プレート１０の本体部１２の係止凹部１３は、下方において左右一対、上方において左右一対それぞれ配置される。固定プレート１０の本体部１２の下側の係止凹部１３を下側係止凹部１３Ｌと称し、固定プレート１０の本体部１２の上側の係止凹部を上側係止凹部１３Ｕと称する。
固定プレート１０の本体部１２の一対の下側係止凹部１３Ｌは、可動部材３の上下の移動方向と直交するように配置される。固定プレート１０の本体部１２の一対の上側係止凹部１３Ｕは、可動部材３の上下の移動方向と直交するように配置される。固定プレート１０の本体部１２の左方の下側係止凹部１３Ｌと左方の上側係止凹部１３Ｕは、可動部材３の上下の移動方向と平行するように配置される。固定プレート１０の本体部１２の右方の下側係止凹部１３Ｌと右方の上側係止凹部１３Ｕは、可動部材３の上下の移動方向と平行するように配置される。
【００２０】
天板２０は、板状の部材であり、固定プレート１０の本体部１２の上端部に取付けられる。天板２０が固定プレート１０に取付けられることによって、固定プレート１０の本体部１２の上端において開口する部分が閉じられる。天板２０は、４個の貫通孔２１を有する。天板２０の貫通孔２１は、前後方向に長い長丸状に構成される。
【００２１】
ベース３０は、固定プレート１０の本体部１２内の下方に配置され、固定プレート１０の底部１１に取付けられる。ベース３０は、基部３１と突出部３２とを備える。
ベース３０の基部３１は、固定プレート１０の底部１１の上方に配置され、固定プレート１０の底部１１にビス等で取付けられて固定される。
ベース３０の突出部３２は、ベース３０の左右中央部から上方に突出する。ベース３０の突出部３２は、には、付勢部材４の下部が挿入される。
【００２２】
挟持部材４０は、可動部材３が上下方向に移動しているとき、後述する被挟持部材７０を挟持した状態とする。挟持部材４０は、被挟持部材７０を挟持することによって、可動部材３が上下方向に移動するときにダンパー効果を生じさせる。挟持部材４０は、金属素材の棒状の部材を折曲げ加工されて構成される。挟持部材４０は、弾性変形可能な棒バネで構成される。挟持部材４０は、被挟持部材７０を挟持する前後一対の挟持体４１と、前後の挟持体４１同士をそれぞれの下端部で連結する連結体４２と、を有し、側面視略Ｕ字状に構成される。挟持部材４０の挟持体４１は、挟持体４１同士の間隔が下方に比べて上方が前後方向に若干狭くなるように構成される。挟持部材４０は、可動部材３が上下方向に移動するときに若干前後方向外側に膨らむように弾性変形しながら被挟持部材７０を挟持体４１で挟持する。
挟持部材４０は、固定プレート１０の本体部１２内の両側にそれぞれ配置され、ベース３０の基部３１に係合するようにして固定プレート１０の底部１１に取付けられる。挟持部材４０は、連結体４２がベース３０の基部３１の側端部の下方に位置し、一対の挟持体４１がベース３０の前後をそれぞれ通ってそれぞれ上方に延出するように構成される。挟持部材４０の挟持体４１は、可動部材３の移動方向（上下方向）に沿って固定プレート１０の本体部１２の下端部近傍から上端部に亘り、挟持体４１のそれぞれの上端部（先端部）が天板２０のそれぞれの貫通孔２１に挿通される。
【００２３】
挟持部材４０の挟持体４１は、被挟持部材７０を挟持した状態で、可動部材３が上下方向に移動可能な程度の挟持力（弾性力）を有する。また、挟持部材４０の挟持体４１は、可動部材３が下端位置する状態からはダンパー効果を生じさせつつ作業者によって洋式便器１００の装着体１０２を引上げることができ、また、可動部材３が上端位置する状態からはダンパー効果を生じさせつつ作業者によって洋式便器１００の装着体１０２を押下げることができる程度の挟持力（弾性力）を有する。
【００２４】
なお、挟持部材４０は、金属素材の板状の部材で構成することもできる。また、挟持部材４０は、連結体４２を有さず、一対の挟持体４１を別体として構成することもできる。
【００２５】
可動部材３は、洋式便器１００の装着体１０２に（取付対象物の可動部）に固定される。
可動部材３は、スライダ５０と、可動プレート６０と、一対の被挟持部材７０と、一対のカバー８０と、一対のクッション８１と、一対のストッパ９０と、を備える。
【００２６】
スライダ５０は、固定プレート１０の本体部１２内に配置されて、固定プレート１０に対して上下方向に移動可能に構成される。スライダ５０は、内部が中空状の略立方体状に構成される。スライダ５０は、筒部５１と、一対の切欠部５２と、ピン配置部５３と、保持部５５と、を備える。
【００２７】
スライダ５０の筒部５１は、底面部から若干下方に突出する。スライダ５０の筒部５１は、下方に開口する。そして、付勢部材４が、筒部５１の下方の開口から筒部５１を通ってスライダ５０の内部に挿入され、付勢部材４の上端部がスライダ５０の上板部の内側の面に当接する。このようにして、スライダ５０は、付勢部材４によって上方に付勢される。
【００２８】
スライダ５０の切欠部５２は、被挟持部材７０が配置される部分である。スライダ５０の切欠部５２は、スライダ５０の底面部側と上面部側とを若干残した状態で両側面が切欠かれるようにして形成される。
【００２９】
スライダ５０のピン配置部５３は、被挟持部材７０の切欠部５２内における配置姿勢を安定させるものであり、後述する被挟持部材７０のピン７２の一端部が配置される。スライダ５０のピン配置部５３は、切欠部５２内の左右の側面にそれぞれ形成される。スライダ５０のピン配置部５３は、上下方向に形成される溝状に構成される。
【００３０】
スライダ５０の保持部５５は、被挟持部材７０を挟持した挟持部材４０の挟持体４１の状態を保持する。スライダ５０の保持部５５は、挟持部材４０の挟持体４１が被挟持部材７０によって前後方向外側に押されて必要以上に外側（前後方向）に広がることを防止する。
スライダ５０の保持部５５は、被挟持部材７０における可動部材３の移動方向の両側（被挟持部材７０の上下）を挟むように配置される。スライダ５０の保持部５５は、挟持部材４０の前方の挟持体４１を保持する上下一対の前保持部５５Ｆと、挟持部材４０の後方の挟持体４１を保持する上下一対の後保持部５５Ｂと、を有する。
【００３１】
スライダ５０の前保持部５５Ｆは、スライダ５０における切欠部５２の下方の底面部の前方と、切欠部５２の上方の上面部の前方とに、それぞれ形成される貫通孔で構成される。スライダ５０の前保持部５５Ｆは、平面視で前後方向に長い長丸状に構成される。スライダ５０の前保持部５５Ｆの左右方向の幅は、挟持部材４０の挟持体４１の直径の約２倍の長さに形成され、前後方向の幅は、挟持部材４０の挟持体４１の直径の約３倍の長さに形成される。スライダ５０の前保持部５５Ｆには、挟持部材４０の前方の挟持体４１が挿通される。
スライダ５０の後保持部５５Ｂは、スライダ５０における切欠部５２の下方の底面部の後方と、切欠部５２の上方の上面部の後方と、にそれぞれ形成される貫通孔で構成される。スライダ５０の後保持部５５Ｂは、平面視で前後方向に長い長丸状に構成される。スライダ５０の後保持部５５Ｂの左右方向の幅は、挟持部材４０の挟持体４１の直径の約２倍の長さに形成され、前後方向の幅は、挟持部材４０の挟持体４１の直径の約３倍の長さに形成される。スライダ５０の後保持部５５Ｂには、挟持部材４０の後方の挟持体４１が挿通される。
【００３２】
可動プレート６０は、スライダ５０の前面に固定されて、スライダ５０の上下方向の移動とともに上下方向に移動可能に構成される。可動プレート６０は、洋式便器１００の装着体１０２にビス等で取付けられて固定される。可動プレート６０は、金属素材の板状の部材を折曲げ加工されて構成される。可動プレート６０は、側面視略Ｌ字状に構成される。可動プレート６０は、上部６１と下部６２とを備える。
可動プレート６０の上部６１は、上部の上方に突出する部分で構成される。可動プレート６０の上部６１は、スライダ５０に固定される部分として構成される。可動プレート６０の上部６１は、固定プレート１０の本体部１２内の前方側に配置される。
可動プレート６０の下部６２は、下部の側方に突出する部分で構成される。可動プレート６０の下部６２は、固定プレート１０の前部において開放する部分から前方に突出する。可動プレート６０の下部６２は、洋式便器１００の装着体１０２に取付けられる部分として構成される。
【００３３】
被挟持部材７０は、スライダ５０の切欠部５２内に配置されて、可動部材３が上下方向に移動したときにスライダ５０とともに上下方向に移動する。被挟持部材７０は、可動部材３が上下方向に移動しているとき、挟持部材４０によって挟持された状態とされる。被挟持部材７０は、左右一対のローラ７１と左右一対のピン７２とを備える。
被挟持部材７０のローラ７１は、平板円盤状の部材である。被挟持部材７０のピン７２は棒状の部材であり、ローラ７１の中心孔に貫装される。被挟持部材７０のローラ７１は、その周面に保持溝７３を有する。被挟持部材７０のローラ７１の保持溝７３は、挟持部材４０の挟持体４１が配置されて、可動部材３が上下方向に移動しているときにおいても挟持部材４０の挟持体４１が被挟持部材７０を挟持した状態を保持する。
【００３４】
カバー８０は、板状の部材であり、スライダ５０の配置部および被挟持部材７０のローラ７１を隠すように、スライダ５０の両側面に配置される。カバー８０は、案内孔８１を有する。カバー８０の案内孔８１は、カバー８０を貫通して上下方向に長丸状に形成され、被挟持部材７０のピン７２の他端部が貫入される。被挟持部材７０のローラ７１とピン７２とは、スライダ５０のピン配置部５３とカバー８０の案内孔８１に支持されて、スライダ５０のピン配置部５３の長さまたはカバー８０の案内孔８１の長さ分上下方向に移動可能に構成される。スライダ５０のピン配置部５３とカバー８０の案内孔８１は、可動部材３が下端位置から上方に移動するときまたは上端位置から下方に移動するときの遊びとして構成される。
【００３５】
クッション８１は、スライダ５０の上面部の左右に配置される。クッション８１は、スライダ５０が上方に移動して固定プレート１０に当接したときの衝撃を吸収する。クッション８１は、例えば、ウレタン素材で構成される。
【００３６】
ストッパ９０は、可動部材３が下端位置または上端位置に配置された状態を一時的に保持する。ストッパ９０は、スライダ５０の背面部の左右に配置される。ストッパ９０は、台部９１と突出片９２とを有する。ストッパ９０の突出片９２は、台部９１から後方に突出し、側面視で山形状に形成される。ストッパ９０は、スライダ５０の背面部に形成される凹部に台部９１の前方側の一部分が配置され、スライダ５０の背面部から後方に突出片９２が突出するように配置される。ストッパ９０は、バネ部材（不図示）によってストッパ９０を後方（固定プレート１０側）に付勢される。バネ部材は、ストッパ９０の台部９１の前面とスライダ５０の前記凹部内の後面との間に配置される。
ストッパ９０の突出片９２は、可動部材３が下端位置に位置するときには、固定プレート１０の本体部１２の下側係止凹部１３Ｌに係止されて、可動部材３が下端位置に配置された状態を保持する。ストッパ９０の突出片９２は、可動部材３が上端位置に位置するときには、固定プレート１０の本体部１２の上側係止凹部１３Ｕに係止されて、可動部材３が上端位置に配置された状態を保持する。
【００３７】
バネ部材は、可動部材３が下端位置する状態からは、作業者によって洋式便器１００の装着体１０２を引上げた際にストッパ９０の突出片９２が固定プレート１０の下側係止凹部１３Ｌ内から脱落するようにストッパ９０を固定プレート１０側に付勢する程度の付勢力を有する。
バネ部材は、可動部材３が上端位置する状態からは、洋式便器１００の装着体１０２の重さや少々の衝撃等で可動部材３が下方に移動しないようにストッパ９０の突出片９２が固定プレート１０の上側係止凹部１３Ｕ内に配置された状態となるように、また、作業者によって洋式便器１００の装着体１０２を押下げた際にストッパ９０の突出片９２が固定プレート１０の上側係止凹部１３Ｕ内から脱落するようにストッパ９０を固定プレート１０側に付勢する程度の付勢力を有する。
【００３８】
なお、ストッパ９０がバネ部材によって付勢される構成ではなく、ストッパ９０（ストッパ９０全体またはストッパ９０の突出片９２）が樹脂素材等によって弾性変形可能に構成されて、固定プレート１０の下側係止凹部１３Ｌまたは上側係止凹部１３Ｕに係止され、また、可動部材３が上方または下方に移動するときに固定プレート１０の下側係止凹部１３Ｌまたは上側係止凹部１３Ｕから脱落する構成とすることもできる。
【００３９】
図７または図８に示すように、このように構成される昇降装置１は、下端位置から上方に可動部材３を移動させるとき、作業者によって洋式便器１００の装着体１０２を引上げた際にまずスライダ５０および可動プレート６０等がカバー８０の案内孔８１の長さ分上方に移動して、被挟持部材７０のピン７２がカバー８０の案内孔８１の上端部に当接する。このような状態でさらに可動部材３を上方に引上げると、スライダ５０のストッパ９０の突出片９２が固定プレート１０の下側係止凹部１３Ｌ内から脱落し、挟持部材４０に挟持された状態で被挟持部材７０（ローラ７１及びピン７２）、スライダ５０、および可動プレート６０等が上方に移動する。そして、スライダ５０のストッパ９０の突出片９２が固定プレート１０の上側係止凹部１３Ｕに係止されて、可動部材３が上端位置に位置する状態とされる。
また、昇降装置１は、上端位置から下方に可動部材３を移動させるとき、作業者によって洋式便器１００の装着体１０２を押下げた際にまずスライダ５０および可動プレート６０等がカバー８０の案内孔８１の長さ分下方に移動して、被挟持部材７０のピン７２がカバー８０の案内孔８１の下端部に当接する。このような状態でさらに可動部材３を下方に押下げると、スライダ５０のストッパ９０の突出片９２が固定プレート１０の上側係止凹部１３Ｕ内から脱落し、挟持部材４０に挟持された状態で被挟持部材７０（ローラ７１及びピン７２）、スライダ５０、および可動プレート６０等が下方に移動する。そして、スライダ５０のストッパ９０の突出片９２が固定プレート１０の下側係止凹部１３Ｌに係止されて、可動部材３が下端位置に位置する状態とされる。
【００４０】
以上のように、可動部材３は被挟持部材７０を備え、固定部材２は可動部材３が上下方向に移動しているときに被挟持部材７０を挟持した状態とされる挟持部材４０を備える、昇降装置１では、可動部材３が上下方向に移動しているときに挟持部材４０によって被挟持部材７０が挟持された状態とされることから、挟持部材４０と被挟持部材７０とによって可動部材３が上下方向に移動するときにダンパー効果を生じさせることができる。したがって、昇降装置１によれば、エアーダンパーを備え構成のものに比べて装置構成が大型化することを抑制しつつ、ダンパー効果を高める構成とすることができる。
【００４１】
また以上のように、挟持部材４０は、可動部材３の昇降方向に沿って配置され、可動部材３が上下方向に移動しているときに被挟持部材７０を挟持した状態で弾性変形可能な一対の挟持体４１を備えることから、可動部材３を上方または下方に移動させて下端位置から上端位置または上端位置から下端位置に可動部材３を位置させるときに、被挟持部材７０（ローラ７１）が上方または下方に移動すると、挟持部材４０の挟持体４１が被挟持部材７０を挟持した部分が前後方向（外側）に若干開くように弾性変形する。このため、昇降装置１によれば、可動部材３が昇降するときの、挟持部材４０の挟持体４１によるダンパー効果をより確実に得る構成とすることができる。
【００４２】
また以上のように、被挟持部材７０は、可動部材３が昇降するときに挟持部材４０の一対の挟持体４１によって挟持されるローラ７１を備えることから、可動部材３を上方または下方に移動させて下端位置から上端位置または上端位置から下端位置に可動部材３を位置させるときの動作をスムーズに行うことができる構成のものを簡易な構成で実現することができる。
【００４３】
また以上のように、被挟持部材７０のローラ７１は保持溝７３を備え、挟持部材４０の挟持体４１が保持溝７３に配置された状態で被挟持部材７０のローラ７１を挟持することから、可動部材３を上方または下方に移動させて下端位置から上端位置または上端位置から下端位置に可動部材３を位置させるときに、挟持部材４０がローラ７１を挟持した状態を確実に保持することができる。
【００４４】
また以上のように、可動部材３（スライダ５０）は、被挟持部材７０のローラ７１を挟持した挟持部材４０の挟持体４１の状態を保持する保持部５５を備え、スライダ５０の保持部５５は、被挟持部材７０のローラ７１の上下に配置され、挟持部材４０の挟持体４１が被挟持部材７０のローラ７１によって押されて必要以上に外側に広がることを防止することから、挟持部材４０の挟持体４１の被挟持部材７０のローラ７１を挟持する力が弱くなることを防止する。
【００４５】
また以上のように、可動部材３が下端位置または上端位置に配置された状態を一時的に保持するストッパ９０を備えることから、意図せずに可動部材３が下端位置または上端位置に移動して、取付対象物の可動部が意図しない昇降位置に配置されることを防止することができる。
【００４６】
また以上のように、固定プレート１０は係止凹部１３を備え、ストッパ９０は固定プレート１０の係止凹部１３に係止される突出片９２を備えることから、可動部材３が下端位置または上端位置に配置された状態を一時的に保持することができる構成を簡易な構成で実現することができる。
【００４７】
なお、昇降装置１では、挟持部材４０の挟持体４１の素材や形状等の仕様を適宜変更することによって、洋式便器１００（取付対象物）の仕様に応じて挟持部材４０の挟持体４１の挟持力を調節することができる。
例えば、挟持部材４０の挟持体４１の挟持力を強くして可動部材３が上下移動するときのダンパー効果を高めたい場合には、挟持部材４０の挟持体４１をより硬質な素材で構成すること、また、挟持部材４０の挟持体４１をより太い径のもので構成することもできる。また例えば、可動部材３が上端位置から下方に移動するときに下方に行くにしたがって挟持部材４０の挟持体４１の挟持力を強くしたい場合には、挟持部材４０の挟持体４１同士の間隔が上方に比べて下方の方が狭くなるように挟持部材４０の挟持体４１を略Ｖ字状に構成すること（図９参照）、また、挟持部材４０の挟持体４１をクランク状に構成すること（図１０参照）もできる。
【符号の説明】
【００４８】
１    昇降装置
２    固定部材
３    可動部材
１０  固定プレート
２０  天板
３０  ベース
４０  挟持部材
４１  挟持体
５０  スライダ
６０  可動プレート
７０  被挟持部材
７１  ローラ
９０  ストッパ
【図１】
2020000680.tif 000003
【図２】
2020000680.tif 000004
【図３】
2020000680.tif 000005
【図４】
2020000680.tif 000006
【図５】
2020000680.tif 000007
【図６】
2020000680.tif 000008
【図７】
2020000680.tif 000009
【図８】
2020000680.tif 000010
【図９】
2020000680.tif 000011
【図１０】
2020000680.tif 000012